(57)【要約】【課題】  携帯電話機の幅の狭い方の両側面にキーとカーソル移動手段を配置した携帯電話機は本体長手方向に大きいという欠点があり、従来のスライド型携帯電話機は厚さが厚くなる欠点があった。【解決手段】  携帯電話機の幅の狭い方の両側面にキーとジョイキーとを配置した携帯電話機において、下部筐体の幅より上部筐体の幅を大きくし、スライド収納時に下部筐体のキーボード部が上部筐体のキーボード部の内側に入り込む構造にすることにより携帯時に長手方向に短く、かつ、厚さの薄い携帯電話機にすることができる。【選択図】図６
2008258997.tif 000002
【特許請求の範囲】
【請求項１】
上部筐体と下部筐体とで構成され、概略直方体の最も長い稜線を含む幅の狭い２つの面に合計で少なくとも２８個のキーを持つ上下方向スライド型携帯電話機において、小型で携帯を便利にするためのスライド収納後に筐体の厚さが厚くならないようにするために、上部筐体のキーボードがある該２つの面間の幅が下部筐体の該幅より大きく、スライド収納時に下部筐体の該面キーボードが上部筐体の該面キーボードの内側に入り込む構造の携帯電話機。
【発明の詳細な説明】
【技術分野】
【０００１】
この発明は、携帯電話機の筐体のスライド機構に関する分野
【背景技術】
【０００２】
図１は公開技術の０２ディスプレイがその収納状態より約９０度だけ回動する携帯電話機である。０１本体、０２ディスプレイ、０３ヒンジ、０４スピーカ、０５マイクロホン、０６キー、０７ジョイキー、０８アンテナより構成されている。
図２は図１の携帯電話機の右側面を操作者の正面に位置させ、０２ディスプレイを０３ヒンジを中心にして約９０度回動し、両手１０本の指でキーに入力している状態を示す。
【０００３】
図３及び図４は公開技術のディスプレイ部を携帯電話機の長手方向にスライドさせることが出来る携帯電話機である。０１本体、０２ディスプレイ、０４スピーカ、０５マイクロホン、０６キー、０７ジョイキー、０９スライド溝、１０スライド溝への入り込み部、１１下側本体より構成されている。
図４は図３の携帯電話機のディスプレイ部を長手方向にスライドさせ、０６キーを露出させた状態を示す。この状態で１１下側本体に装備されているキーボード部を使用することができる。キーボード部を使用しない時はディスプレイ部を携帯電話機の長手方向の長さが短くなる方向にスライドさせると図３に示すようになり、本体長さが短くなり持ち運びに便利になる。０９スライド溝に１０スライド溝への入り込み部が分離しないように嵌っており、０９スライド溝に沿って１０入り込み部が滑ってスライドするようになっている。
【０００４】
【特許文献１】特開２００３−２９８６９９  スライド型携帯電話機
【特許文献２】特許３６３０４２１  携帯電話機の超高速文字入力装置
【発明の開示】
【発明が解決しようとする課題】
【０００５】
近年、携帯電話機は通信技術の発達により、より多くの情報を短時間で伝送可能となり、メール表示字数の増大、ブラウザ表示面積拡大、テレビ画面拡大、表計算の表示量拡大の要求があり、文字入力速度を増加させ、かつ面積が広いディスプレイが求められている。さらに携帯を便利にするために小型化が強く求められている。
図１及び図２の技術を搭載した携帯電話機は文字入力時もポケット等に携帯時も０６キーが常時露出しているために本体の長手上下方向に形状が大きくなる欠点がある。
図３及び図４の技術を搭載した携帯電話機はスライド収納時は上下方向の長さが短くなるのが小型０１上部筐体と０２下部筐体の厚さが合計されるので厚さが厚くなる欠点がある。
【課題を解決するための手段】
【０００６】
携帯電話機の両側面にキーとジョイキーとを配置した携帯電話機において、下部筐体の幅より上部筐体の幅を大きくし、スライド収納時に下部筐体のキーボード部が上部筐体のキーボード部の内側に入り込む構造にする。これにより、携帯電話機のキーの大きさを変えないで、スライド収納時には筐体が長手方向に短く、筐体の厚さは上部筐体の厚さ程度の薄い携帯電話機を実現できる。
【発明の効果】
【０００７】
本発明は文字入力の高速入力とディスプレイ表示面積確保の要求を妨げる事無く、携帯に便利な薄型を実現できるので効果がある。
【発明を実施するための最良の形態】
【０００８】
図５は本発明のスライド機構を備えた薄型携帯電話機の例である。
この装置は２１上部筐体、２２下部筐体、２３ディスプレイ、２４ヒンジ、２５スピーカ、２６マイクロホン、２７上部筐体のジョイキー、２８上部筐体の文字キー、２９アンテナ、３０スライド溝、３１スライド溝への入り込み部、３２下部筐体のジョイキー、３３下部筐体の正面ダイヤルキー、３４下部筐体の文字キー、３５筐体の裏面より構成されている。
【０００９】
図６は図５の携帯電話機の２２下部筐体を電話機長手方向下側にスライド伸張させた図である。この状態で３３下部筐体の正面ダイヤルキーと３４下部筐体の文字キーを露出させることができるので片手のみしか使用できない時は３３下部筐体の正面ダイヤルキーを使用する。３０スライド溝に２２下部筐体の３１スライド溝への入り込み部が入り込んでいる状態を示している。スライド収納時は３０スライド溝に２２下部筐体が全部入り込んで図５の状態になる。
【００１０】
図７は図６の携帯電話機の状態で、両手が使用できる時に２３ディスプレイを約９０度回動して２７上部筐体のジョイキーと２８上部筐体の文字キーと３４下部筐体の文字キーを使用して高速で文字入力操作ができる。
図８は図７の携帯電話機に２３ディスプレイの全面を見ながら両手１０本の指を使用して高速で文字入力している状態を示している。
【産業上の利用可能性】
【００１１】
側面にキーボードを設けた携帯電話機で、高速文字入力の従来の機能を損なわず、ディスプレイ表示面積も従来通り確保でき、携帯に便利な薄型を実現できるので産業上の利用可能性がある。
【図面の簡単な説明】
【００１２】
【図１】両手１０本の指でキーに入力できる公開技術の携帯電話機の図である。
【図２】図１携帯電話機に文字入力中の図である。
【図３】公開技術のスライド型携帯電話機の図である。
【図４】図３携帯電話機をスライド伸張させ、正面キーボード部を露出させた図である。
【図５】本発明のスライド機構を備えた薄型携帯電話機の例である。
【図６】図５の携帯電話機を長手上方向にスライド伸張させた図である。
【図７】図６の携帯電話機のディスプレイを約９０度回動させた図である。
【図８】図７の携帯電話機に両手１０本の指を使用して文字入力している図である。
【符号の説明】
【００１３】
０１本体
０２ディスプレイ
０３ヒンジ
０４スピーカ
０５マイクロホン
０６キー
０７ジョイキー
０８アンテナ
０９スライド溝
１０スライド溝への入り込み部
１１下側本体
２１上部筐体
２２下部筐体
２３ディスプレイ
２４ヒンジ
２５スピーカ
２６マイクロホン
２７上部筐体のジョイキー
２８上部筐体の文字キー
２９アンテナ
３０スライド溝
３１スライド溝への入り込み部
３２下部筐体のジョイキー
３３下部筐体の正面ダイヤルキー
３４下部筐体の文字キー
３５筐体の裏面
【図１】
2008258997.tif 000003
【図２】
2008258997.tif 000004
【図３】
2008258997.tif 000005
【図４】
2008258997.tif 000006
【図５】
2008258997.tif 000007
【図６】
2008258997.tif 000008
【図７】
2008258997.tif 000009
【図８】
2008258997.tif 000010